(57)【要約】【課題】プレス等で加工されて搬送されてくる加工品の姿勢を加工品の搬送速度を変えずに変換することができる、すなわち一定の搬送速度を有する（１台の）搬送コンベアで搬送することができる姿勢変換装置を提供する。【解決手段】プレス等で加工されて搬送コンベアにより搬送されてくる加工品の姿勢を加工品の搬送速度を落とすことなく変換することができる搬送コンベア面と所定の間隔を有しつつ設置する姿勢変換装置１であって、所定の角度毎に回転、及び停止のステップを繰り返す回転盤部材２と、回転盤部材２に設置した加工品吸着機構３を備えることを特徴とする姿勢変換装置１とした。【選択図】図１
2019123608.tif 000002
【特許請求の範囲】
【請求項１】
プレス等で加工されて搬送コンベアにより搬送されてくる加工品の姿勢を変換して別の搬送コンベア上に載置する姿勢変換装置であって、
加工品を吸着可能な加工品吸着機構を備えており、所定の角度毎に回転、及び停止のステップを繰り返す回転盤部材が設けられていることを特徴とする加工品の姿勢変換装置。
【請求項２】
前記加工品吸着機構が、電磁石の磁力によって加工品を吸着・脱着可能なものであることを特徴とする請求項１に記載の加工品の姿勢変換装置。
【請求項３】
前記加工品吸着機構が、真空吸引装置の吸引力によって加工品を吸着・脱着可能なものであることを特徴とする請求項１に記載の加工品の姿勢変換装置。
【請求項４】
前記加工品吸着機構が、前記回転盤部材に複数個設けられているとともに、
前記回転盤部材の回転、及び停止のステップ毎の搬送されてくる加工品に対する前記加工品吸着機構の姿勢が同じであることを特徴とする請求項１〜３のいずれかに記載の加工品の姿勢変換装置。
【発明の詳細な説明】
【技術分野】
【０００１】
本発明は、上流でプレス等により加工され、搬送コンベア上を連続的に下流に流れてくる加工品の姿勢を、搬送コンベアの搬送速度を減速させたり止めたりすることなく、スムーズに変換することができる姿勢変換装置に関する。
【背景技術】
【０００２】
プレス等で加工された加工品を次工程に流す手段として、搬送コンベア（ローラコンベア、ベルトコンベア）等が広く採用されている。近年ではプレス加工の自動化も進み、それに伴い、プレス加工工程後の搬送作業の自動化も進んでおり、生産性の向上や安全性の向上に貢献している。プレス加工品の形状やサイズは様々であり、例えば、プレス加工品の長手方向の長さが搬送コンベアの幅よりも大きくなってしまうことがある。かかる場合には、プレス加工品の長手方向を搬送コンベアの進行方向と平行になるようにプレス加工品を搬送コンベアに積載して搬送しなければならないが、そのためには、プレス加工品の姿勢をいちいち変換（回転）させなければならない。
【０００３】
特許文献１には、回転軸廻りに回転する駆動輪と、駆動輪と搬送部とを回転軸廻りに相対移動可能に連結する変速部と、搬送部の駆動輪に対する回転軸廻りの相対角速度が、ワーク受取領域において受取速度となり、ワーク引渡領域において引渡速度となるように変化させる変速用ガイドとを備えた搬送装置が開示されている。すなわち、加工品が速度の速い前工程のコンベア上を長手方向に沿って搬送され、この搬送装置によって減速されるとともに向き（要するに姿勢）を変更された後、速度の遅い後工程のコンベア上を短手方向に沿って搬送される搬送装置が開示されている。
【先行技術文献】
【特許文献】
【０００４】
【特許文献１】特開２００８−４４７９６号公報
【発明の概要】
【発明が解決しようとする課題】
【０００５】
特許文献１に係る搬送装置は、加工品の姿勢を９０°回転させることにより変換させることはできるが、搬送ライン上を移動する加工品（素材を含む）を他の搬送ラインに受け渡す間に、加工品の搬送速度を変化させる搬送方法を用いているため、加工品の流れ速度を変えなければならず、加工品の搬送速度を変えずに加工品をスムーズに流すことができない。要するに、特許文献１に係る搬送装置においては、搬送速度の異なる搬送コンベアを２台必要とするので設備面においてコストが掛かるため好ましくない。
【０００６】
本発明の目的は、プレス等で加工されて搬送されてくる加工品の姿勢を加工品の搬送速度を変えずに変換することができる、すなわち一定の搬送速度を有する（１台の）搬送コンベアで搬送することができる姿勢変換装置を提供することにある。
【課題を解決するための手段】
【０００７】
上記課題を解決するために、請求項１に記載された発明は、プレス等で加工されて搬送コンベアにより搬送されてくる加工品の姿勢を変換して別の搬送コンベア上に載置する姿勢変換装置であって、加工品を吸着可能な加工品吸着機構を備えており、所定の角度毎に回転、及び停止のステップを繰り返す回転盤部材が設けられていることを特徴とするものである。
【０００８】
請求項２に記載された発明は、請求項１に記載された発明において、前記加工品吸着機構が、電磁石の磁力によって加工品を吸着・脱着可能なものであることを特徴とするものである。
【０００９】
請求項３に記載された発明は、請求項１に記載された発明おいて、前記加工品吸着機構が、真空吸引装置の吸引力によって加工品を吸着・脱着可能なものであることを特徴とするものである。
【００１０】
請求項４に記載された発明は、請求項１〜３のいずれかに記載された発明において、前記加工品吸着機構が、前記回転盤部材に複数個設けられているとともに、前記回転盤部材の回転、及び停止のステップ毎の搬送されてくる加工品に対する前記加工品吸着機構の姿勢が同じであることを特徴とするものである。なお、搬送されてくる加工品に対する前記加工品吸着機構の姿勢とは、搬送されてくる加工品に対する複数の電磁石の配列（請求項２に係る発明）や、複数の吸引口の配列（請求項３に係る発明）のことである。
【発明の効果】
【００１１】
請求項１に記載の姿勢変換装置は、プレス等で加工されて搬送コンベアにより搬送されてくる加工品の姿勢を加工品の搬送速度を落とすことなく変換することができる搬送コンベア面と所定の間隔を有しつつ設置する姿勢変換装置である。所定の角度毎に回転、及び停止のステップを繰り返す回転盤部材と、回転盤部材に設置した加工品吸着機構を備えているので、プレス等で加工されて上流から搬送されてくる加工品の姿勢を加工品の搬送速度を落とすことなく変換することができる。
【００１２】
請求項２に記載の姿勢変換装置は、加工品吸着機構は複数の電磁石を回転盤部材に設置することによるものであるので、電磁石を通電することによって一時的に磁力を発生させることができるため、所定の角度毎に回転、及び停止のステップを繰り返す回転盤部材に合わせて自由に磁力を発生させて、もしくは磁力を消滅させて加工品を吸着し、切り離すことができる。
【００１３】
請求項３に記載の姿勢変換装置は、加工品吸着機構は複数の吸引口を有する真空吸引装置を回転盤部材に設置することによるものであるので、真空吸引装置を作動させることによって、一時的に吸引力を発生させ、消滅させることができるため、所定の角度毎に回転、及び停止のステップを繰り返す回転盤部材に合わせて自由に吸引力を発生させて、もしくは吸引力を消滅させて加工品を吸着し、切り離すことができる。
【００１４】
請求項４に記載の姿勢変換装置は、回転盤部材の回転、及び停止のステップ毎の搬送されてくる加工品に対する加工品吸着機構の姿勢が同じであるので、回転盤部材の回転、及び停止のステップ毎に繰り返した際であっても、搬送されてくる加工品に対して全く同じ吸引力を連続的に発生させることができる。
【図面の簡単な説明】
【００１５】
【図１】本実施例に係る姿勢変換装置の全体図である。
【図２】姿勢変換装置の使用方法を説明するための図である。
【図３】姿勢変換装置の搬送状態を説明するための図である。
【発明を実施するための形態】
【００１６】
＜姿勢変換装置の構造＞
以下、本発明に係る姿勢変換装置１の一実施形態について、図１〜図３に基づいて詳細に説明する。図１は、本実施例に係る姿勢変換装置１の全体図である。図１（ａ）は全体正面図であり、図１（ｂ）は、全体下面図である。
【００１７】
本発明に係る姿勢変換装置１は、プレス加工品等を搬送する搬送コンベアの途中に搬送面と隙間を設けて設置することで、プレス加工品等を吸収するとともに回転させることにより、プレス加工品等の姿勢を変換する姿勢変換装置１である。本実施例に係る姿勢変換装置１は、略円盤形状の回転盤部材２と、加工品吸着機構３（加工品吸収機構の吸着口）を備えている（図１参照）。加工品吸着機構３は搬送コンベアの上流から搬送されてくるプレス加工品を加工品吸着機構３（加工品吸収機構の吸着口）にて吸着し、一時的に搬送コンベアの搬送面から浮かすことができるようになっている。
【００１８】
略円盤形状の回転盤部材２のサイズはφ２５０ｍｍ〜φ３５０ｍｍ程度であり、加工品吸着機構３（加工品吸収機構３の吸着口）のサイズは、φ５０ｍｍ〜φ８０ｍｍ程度である。回転盤部材２における加工品吸着機構３（加工品吸収機構３の吸着口）の配置は、図１（ｂ）に記載したように、回転盤部材２の中心を取り囲むように配置された複数の加工品吸着機構３（加工品吸収機構３の吸着口：図１においては４カ所）、及び、それを取り囲むように円周上を一定の間隔を空けて配置された複数の加工品吸着機構３（加工品吸収機構３の吸着口：図１においては４カ所）が配置されている。
【００１９】
回転盤部材２は回転中心（回転盤部材２の中心）において所定の角度（本実施例においては９０°であるが、他の実施例においては１８０°姿勢を変換させるような場合もあり得る）毎に回転、及び停止のステップを繰り返すことができるようになっている。この際、ステップ毎における加工品吸着機構３（加工品吸収機構３の吸着口）の回転盤部材２における配置が全く同じになるようになっている。なお、加工品吸着機構３（加工品吸収機構３の吸着口）の回転盤部材２における配置は、図１に記載された配置に限定されることはなく、回転、及び停止のステップを繰り返した際、全く同じになるような配置であれば、如何なる配置も採用することができることは言うまでもない。
【００２０】
加工品吸着機構３は、複数の電磁石４を回転盤部材２に設置（図１（ｂ）参照）することによるもの、及び真空吸引装置の複数の吸引口５を回転盤部材２に設置することによる（なお、真空吸引装置については図示しない。）。電磁石は磁性材料の芯のまわりに、コイルを巻き、通電することによって一時的に磁力を発生させる磁石である。電流を止めると磁力は失われるので、スイッチのオンとオフを繰り返すことにより吸着状態と非吸着状態を繰り返すことができる。真空吸引装置は、ある空間を真空状態にすることで生じる大気圧との圧力差を利用して加工品を吸着するものである。スイッチのオンとオフを繰り返すことにより吸着状態と非吸着状態を繰り返すことができる。複数の電磁石４を回転盤部材２に設置することによるもの、及び真空吸引装置の複数の吸引口５を回転盤部材２に設置することによるもののいずれであっても作動状態は同じであるので、本明細書においては主に複数の電磁石４を回転盤部材２に設置することによるものについて加工品吸着機構３を説明することにする。
【００２１】
本発明の特徴として回転盤部材２の回転、及び停止のステップ毎における加工品吸着機構３（より正確に言うと、加工品吸着機構の加工品吸着口）の回転盤部材２における配列が同じであるということが挙げられる。複数の電磁石４を回転盤部材２に設置することによるものとして、具体的に説明すると、図１（ｂ）は、本実施例に係る加工品吸着機構３（電磁石）の回転盤部材２における配列を示しているが、回転盤部材２が９０°のステップで回転及び停止を繰り返す際、９０°回転した際の加工品吸着機構３（電磁石）の回転盤部材２における配列、さらに９０°回転した際（要するに１８０°回転）の加工品吸着機構３（電磁石）の回転盤部材２における配列、さらに９０°回転した際（要するに２７０°回転）の加工品吸着機構３（電磁石）の回転盤部材２における配列は同じである（図１（ｂ）参照）。
【００２２】
＜姿勢変換装置の使用方法＞
図２は、本実施例に係る姿勢変換装置１の使用方法を説明するための図である。本実施例に係る姿勢変換装置１を使用する際は、門型フレームに姿勢変換装置１を吊り下げるようにして設置（図１参照）することで、搬送コンベア（ベルトコンベア６）上に搬送コンベア面と所定の間隔を有しつつ（要するに浮かせて）姿勢変換装置１を設置する。
【００２３】
図２に記載したように、プレス加工品Ｐの形状やサイズによっては、プレス加工品の長手方向の長さが、次工程に搬送するための搬送コンベア（ロールコンベア７）の幅よりも大きくなってしまうことがある。かかる場合には、プレス加工品Ｐが搬送コンベア（ロールコンベア７）からはみ出てしまうので、プレス加工品Ｐの長手方向を搬送コンベアの進行方向と平行になるように、プレス加工品Ｐの姿勢を変換（要するに回転）する必要がある。本実施例に係る姿勢変換装置１により、プレス加工品Ｐの姿勢を変換（９０°回転）させた後、プレス加工品Ｐを搬送コンベア（ロールコンベア７）にて次工程に搬送することができる。
【００２４】
＜姿勢変換装置の作動状態＞
図３は、本発明に係る姿勢変換装置１の作動状態を説明するための図である。本発明に係る姿勢変換装置１が、どのような作動状態になることで、プレス加工品Ｐの搬送速度を変えることなく一定の速度（搬送コンベアの搬送速度一定）を保ったままでプレス加工品Ｐの姿勢を変えることができるのかについて以下で説明する。なお、図３において、姿勢変換前のプレス加工品Ｐは斜線なしで表し、姿勢変換後のプレス加工品Ｐは斜線ありで表している。
【００２５】
図３は、プレス機でプレスされたプレス加工品Ｐ１，Ｐ２，Ｐ３が搬送コンベア（ベルトコンベア６を想定している）上を流れてきて、姿勢変換装置１の加工品吸着機構３により吸着された瞬間（時間Ｔ）の加工品の状態（位置、及び姿勢）、ΔＴ時間経過後の加工品の状態（位置、及び姿勢）、ΔＴ１時間経過後の加工品の状態（位置、及び姿勢）、ΔＴ２時間経過後の加工品の状態（位置、及び姿勢）、ΔＴ３時間経過後（プレス加工品Ｐ１がロールコンベア７上に積載）の加工品の状態（位置、及び姿勢）を示している。
【００２６】
姿勢変換装置１の加工品吸着機構３により吸着される直前（時間Ｔ）において、図３に記載したように、プレス加工品Ｐ（Ｐ１、Ｐ２、Ｐ３）の姿勢は縦向き（尖った一対の部分を搬送コンベアの長手方向に配置させた状態）になっている。ΔＴ時間経過後において、搬送されたプレス加工品Ｐ（Ｐ１）は、姿勢変換装置１により、加工品吸着機構３である電磁石４に吸着されて、一旦搬送コンベア面から離れ、９０°回転して横向き（尖った一対の部分を搬送コンベアの長手方向に対して垂直な方向に配置させた状態）になり、その後、加工品吸着機構３である電磁石４から離れて（重力で落下して）搬送コンベア上に再び載せられることになる。これら一連の動作はΔＴ時間以内に行われる。ΔＴ時間経過後において、横向きになったプレス加工品Ｐ（Ｐ１）とプレス加工品Ｐ（Ｐ２）は、間隔が縮まるが重なることなく搬送コンベア上を流れている。
【００２７】
引き続きΔＴ１時間経過後において、９０°姿勢が変換された（回転した）プレス加工品Ｐ（Ｐ１）とプレス加工品Ｐ（Ｐ２，Ｐ３）が搬送コンベア上を流れている。ΔＴ２時間経過後（加工品吸着機構３によりプレス加工品Ｐ（Ｐ２）が吸着される直前）において、プレス加工品Ｐ（Ｐ２）の姿勢は縦向きになっている。
【００２８】
ΔＴ３時間経過時において、加工品Ｐ（Ｐ２）が姿勢変換装置１により、吸着されて搬送コンベアから離れると同時に９０°回転し、その後搬送コンベア上に置かれ、引き続き加工品Ｐ（Ｐ３）も姿勢変換装置１により、吸着されて搬送コンベアから離れると同時に９０°回転し、その後搬送コンベア上に置かれる。これら一連の動作は（ΔＴ３−ΔＴ２）時間以内に行われる。ΔＴ３時間経過後において、横向きになったプレス加工品Ｐ（Ｐ３）とプレス加工品Ｐ（Ｐ２）は、間隔が縮まるが重なることなく搬送コンベア上を流れている。それと同時に横向きになったプレス加工品Ｐ（Ｐ２）と既に横向きになっているプレス加工品Ｐ（Ｐ１）においても、互いに重なることなく適度な間隔を置いて搬送コンベア上を流れている。
【００２９】
本発明に係る姿勢変換装置１により、搬送コンベア上を搬送されてくるプレス加工品Ｐは、このような動作が繰り返されることになる。姿勢変換装置１の回転と停止のサイクルに要する時間をできるだけ短縮するような制御を行うことで、さらに、プレス加工品Ｐの搬送速度、プレス加工品Ｐの搬送間隔等を制御することで、搬送コンベア上を搬送されてくるプレス加工品Ｐ（Ｐ１、Ｐ２、Ｐ３）が互いに重なることや衝突することはない。
【００３０】
＜姿勢変換装置の効果＞
本発明に係る姿勢変換装置１は、搬送コンベア面と所定の間隔を有しつつ設置することで、プレス等で加工されて搬送コンベアにより連続的に搬送されてくるプレス加工品Ｐの姿勢を加工品の搬送速度を落とすことなく変換（回転）することができるというのが最大の特徴である。所定の角度毎に回転、及び停止のステップを繰り返す回転盤部材２と、回転盤部材２に設置した加工品吸着機構３を備えているので、プレス等で加工されて上流から搬送されてくるプレス加工品Ｐの姿勢を加工品の搬送速度を落とすことなく変換することができる。
【００３１】
加工品吸着機構３は、電磁石を通電することによって一時的に磁力を発生させることができるため、所定の角度毎に回転、及び停止のステップを繰り返す回転盤部材に合わせて自由に磁力を発生させて、もしくは磁力を消滅させて加工品を吸着し、切り離すことができる。さらに、加工品吸着機構３は、真空吸引装置を作動させることによって、一時的に吸引力を発生させ、消滅させる機構も採用することができるため、所定の角度毎に回転、及び停止のステップを繰り返す回転盤部材２に合わせて自由に吸引力を発生させて、もしくは吸引力を消滅させて加工品を吸着し、切り離すことができる。
【００３２】
さらには、回転盤部材２の回転、及び停止のステップ毎の搬送されてくる加工品に対する加工品吸着機構３の姿勢が同じである（すなわち、加工品吸着機構３が回転盤部材３の中心に対して４５°毎の点対称となるように配置されている）ので、回転盤部材２の回転、及び停止のステップ毎に繰り返し全く同じ吸引力を繰り返し発生させることができるという特徴もある。
【００３３】
＜姿勢変換装置の変更例＞
本発明に係る姿勢変換装置は、上記した各実施形態の態様に何ら限定されるものではなく、回転盤部材、加工品吸着機構、電磁石、真空吸引装置の吸引口等の構成を、本発明の趣旨を逸脱しない範囲で、必要に応じて適宜変更することができる。例えば、加工品吸着機構は複数の永久磁石によるものにすることができる。
【００３４】
かかる場合においても、回転盤の回転、及び停止のステップ毎の該マグネットの回転盤における配列が同じであり、さらに、回転盤が所定の角度毎の回転し、及び停止した瞬間に下方向に向かってプレス加工品を押し出すようにして永久磁石から取り外すように制御されている加工品取り外し部材を備えることにより、所定の角度毎に回転、及び停止のステップを繰り返す回転盤部材に合わせて、プレス加工品を吸着し、切り離すことができるし、停止した瞬間に下方向に向かってプレス加工品を下方向に押し出すようにして永久磁石から取り外すことができる。
【００３５】
本発明に係る姿勢変換装置は、回転と停止のステップを繰り返す際の回転角度は、９０°以外にも１８０°であっても良いし、それ以外のあらゆる角度（３６０°以内）で回転と停止のステップを繰り返しても良い。さらに、回転盤部材を同じ方向に回転させ続ける方式を採用しているが、回転盤部材において右回りと左回りを繰り返すように回転させる機構であっても良い。
【産業上の利用可能性】
【００３６】
本発明に係る姿勢変換装置は、上記の如く優れた効果を奏するものであるので、上流でプレス等により加工されて下流に流れてくる加工品の姿勢をスムーズに変換することができる姿勢変換装置として好適に用いることができる。
【符号の説明】
【００３７】
１・・姿勢変換装置
２・・回転盤部材
３・・加工品吸着機構
４・・電磁石
５・・真空吸引装置の吸引口
６・・ベルトコンベア
７・・ロールコンベア
Ｐ・・プレス加工品
【図１】
2019123608.tif 000003
【図２】
2019123608.tif 000004
【図３】
2019123608.tif 000005